(57)【要約】【課題】  収容した冷凍食品等を容易に取り出すことができ、また、冷凍食品等の収容形態の自由度を高くして、使い勝手を向上させる。【解決手段】  本発明の冷凍ストッカ１は、冷凍食品やアイスクリーム等を収容するためのものであって、本体２の上面部に扉３を備えてなるものにおいて、内箱５の対向する内面６に、対をなすと共に上下方向に複数設けられた段部６ａ、６ｂを設け、これら段部６ａ、６ｂに掛合させるフランジ部８を両端部に有する容器７を備え、そして、容器７のうちの２個のフランジ部８の間の寸法を調整可能に構成したものである。【選択図】  図１
2006010249.tif 000002
【特許請求の範囲】
【請求項１】
冷凍食品やアイスクリーム等を収容するためのものであって、本体の上面部に扉を備えてなる冷凍ストッカにおいて、
内箱の対向する内面に、対をなすと共に上下方向に複数設けられた段部と、
前記冷凍ストッカ内に収容されるものであって、前記段部に掛合させるフランジ部を両端部に有する容器とを備え、
前記容器のうちの前記２個のフランジ部の間の寸法を調整可能に構成したことを特徴とする冷凍ストッカ。
【請求項２】
前記フランジ部自体の突出寸法を調整可能に構成することにより、前記２個のフランジ部の間の寸法を調整するように構成したことを特徴とする請求項１記載の冷凍ストッカ。
【請求項３】
前記容器の本体部の幅寸法を調整可能に構成することにより、前記２個のフランジ部の間の寸法を調整するように構成したことを特徴とする請求項１記載の冷凍ストッカ。
【請求項４】
冷凍食品やアイスクリーム等を収容するためのものであって、本体の上面部に扉を備えてなる冷凍ストッカにおいて、
内箱の左右の内面に、対をなすよう設けられた段部と、
前記内箱の底面の中央部と左右の端部とに設けられた溝と、
前記底面の中央部の溝に嵌合されて立設される第１の板と、
前記立設された第１の板と前記２つの段部のうちの一方の段部との間に橋架される第２の板と、
前記立設された第１の板と前記２つの段部のうちの他方の段部との間に橋架される第３の板とを備え、
前記３つの板を使用しないときには、２つの板を前記底面の左右の溝に嵌合させて前記内箱の内面に沿わせて立設させ、残りの１つの板を前記底面上に寝かせておくように構成したことを特徴とする冷凍ストッカ。
【請求項５】
冷凍食品やアイスクリーム等を収容するためのものであって、本体の上面部に扉を備えてなる冷凍ストッカにおいて、
内箱の底面の中央部に設けられ第１の板を立設させる溝と、
前記内箱の底面の左右の端部における前記内箱の内面から板の厚み分内方の位置に設けられ第２の板及び第３の板を立設させる溝と、
前記立設された第１の板と前記立設された第２の板との間に橋架される第４の板と、
前記立設された第１の板と前記立設された第３の板との間に橋架される第５の板とを備え、
前記５つの板を使用しないときには、２つの板を前記底面の左右の溝に嵌合させて前記内箱の内面に沿わせて立設させ、２つの板を立設させた２つの板と前記内箱の内面との各間に収容し、残りの１つの板を前記底面上に寝かせておくように構成したことを特徴とする冷凍ストッカ。
【発明の詳細な説明】
【技術分野】
【０００１】
本発明は、冷凍食品やアイスクリーム等を収容するためのものであって、本体の上面部に扉を備えてなる冷凍ストッカに関する。
【背景技術】
【０００２】
冷凍ストッカ、例えば、庫内の深さ寸法が大きい冷凍ストッカにおいては、収容する冷凍食品の量が少ない場合、奥（底部）の方に収容した冷凍食品を取出し難いという問題点があった。この問題点を解消する構成として、冷凍ストッカの上部の開口縁部に段部を設け、比較的小型の容器（またはバスケット）の前後両端部に設けられた持ち手部（フランジ部）を上記段部に掛けることにより、上記容器を冷凍ストッカの庫内の上部にセットするように構成している。
【０００３】
この構成の場合、少量の冷凍食品や、小さい形状の冷凍食品等を、上記容器内に収容することが可能である。これにより、ユーザーは、冷凍ストッカの上部に配置された容器内から冷凍食品を取り出せば良いから、冷凍ストッカ内から冷凍食品を取り出し易くなる。尚、冷凍ストッカに関する技術構成を示す公報として、下記の特許文献１が従来より知られている。
【特許文献１】特開平７ー２７００５９号公報
【発明の開示】
【発明が解決しようとする課題】
【０００４】
上記構成の冷凍ストッカの場合、容器を冷凍ストッカの上部にしか配置することができないため、複数の容器を使用しようとしても、ユーザーの使い勝手があまり良くないという不具合があった。
そこで、本発明の目的は、収容した冷凍食品等を容易に取り出すことができ、また、冷凍食品等の収容形態の自由度を高くすることができ、使い勝手を向上させることができる冷凍ストッカを提供するにある。
【課題を解決するための手段】
【０００５】
本発明の冷凍ストッカは、冷凍食品やアイスクリーム等を収容するためのものであって、本体の上面部に扉を備えてなるものにおいて、内箱の対向する内面に、対をなすと共に上下方向に複数設けられた段部と、前記冷凍庫内に収容されるものであって、前記段部に掛合させるフランジ部を両端部に有する容器とを備え、そして、前記容器のうちの前記２個のフランジ部の間の寸法を調整可能に構成したところに特徴を有する。
【０００６】
また、本発明の他の冷凍ストッカは、冷凍食品やアイスクリーム等を収容するためのものであって、本体の上面部に扉を備えてなるものにおいて、内箱の左右の内面に、対をなすよう設けられた段部と、前記内箱の底面の中央部と左右の端部とに設けられた溝と、前記底面の中央部の溝に嵌合されて立設される第１の板と、前記立設された第１の板と前記２つの段部のうちの一方の段部との間に橋架される第２の板と、前記立設された第１の板と前記２つの段部のうちの他方の段部との間に橋架される第３の板とを備え、前記３つの板を使用しないときには、２つの板を前記底部の左右の溝に嵌合させて前記内箱の内面に沿わせて立設させ、残りの１つの板を前記底面上に寝かせておくように構成したところに特徴を有する。
【発明の効果】
【０００７】
本発明は、内箱の対向する内面に上下方向に複数の段部を設け、これら段部に掛合させるフランジ部を両端部に有する容器を備え、この容器のうちの２個のフランジ部の間の寸法を調整可能に構成したので、冷凍ストッカ内において、容器の取り付け位置を上下方向に移動させることが可能となり、収容した冷凍食品等を容易に取り出すことができると共に、冷凍食品等の収容形態の自由度を高くすることができるという効果を奏する。
【発明を実施するための最良の形態】
【０００８】
以下、本発明の第１の実施例について、図１及び図２を参照しながら説明する。まず、図１は、本実施例の冷凍ストッカ１の全体構成を概略的に示す斜視図である。この図１に示すように、本実施例の冷凍ストッカ１は、上面部が開口した断熱箱体からなる本体２と、この本体２の上面開口部を開閉するほぼ平板状の断熱体からなる扉３とから構成されている。
【０００９】
本体２は、外箱４と、内箱５と、これら外箱４及び内箱５の間に充填された断熱材（図示しない）とから構成されている。また、扉３は、その後端部が本体２の上面開口部の後端部に回動可能に取り付けられている。扉３の前端部の中央部には、手掛け部３ａが設けられている。
さて、上記内箱５の対向する内面、本実施例の場合、前後の内面６（一方である後方の内面だけ図示）には、対をなすと共に上下方向に複数例えば２個の段部６ａ、６ｂが設けられている。この場合、対をなす上方の段部６ａの間隔（距離）は、対をなす下方の段部６ｂの間隔よりも広くなるように構成されている。即ち、冷凍ストッカ１の内部においては、前後の内面６が下方にいくほど狭くなり、且つ、段状となるように内方へ突出している。
【００１０】
また、冷凍ストッカ１内には、上面部が開口した矩形箱状のケース（容器）７が出し入れ可能に収容されている。このケース７の上面開口部における前後方向の両端部には、フランジ部８、８が外方へ向けて突設されている。このフランジ部８は、内箱５の段部６ａ、６ｂ上に掛けるための掛合部であると共に、ユーザーがケース７を手で持つための持ち手でもある。
【００１１】
上記フランジ部８は、図２（ａ）、（ｂ）に示すように、その突出寸法（図２中左右方向の寸法）を長短調整することが可能なように構成されている。具体的には、各フランジ部８は、ケース７に一体に形成された突片部９と、この突片部９に着脱可能に取り付けられた板部材１０と殻構成されている。突片部９の四隅部には４個の孔９ａが形成されている。板部材１０の上面の四隅部には、上記４個の孔９ａに嵌合するピン１０ａが突設されている。
【００１２】
この構成の場合、図２（ａ）に示すように、突片部９の下面に板部材１０をぴったり合わせるように、即ち、突片部９の４個の孔９ａに板部材１０の４個のピン１０ａを嵌合させるように取り付けると、フランジ部８の突出寸法が短くなり、内箱５の下方の段部６ｂ上に上記フランジ部８、８を載せて掛けることが可能な構成となっている。この場合、ケース７は、冷凍ストッカ１内の下方の段部６ｂ上に掛けるのに適合した状態となり、段部６ｂ上の任意の位置（左右方向に位置）に掛けることが可能である。
【００１３】
これに対して、図２（ｂ）に示すように、突片部９の下面に板部材１０を半分ずらして合わせるように、即ち、突片部９の右の２個の孔９ａに板部材１０の左の２個のピン１０ａを嵌合させるように取り付けると、フランジ部８の突出寸法が長くなり、内箱５の上方の段部６ａ上に上記フランジ部８を載せて掛けることが可能な構成となっている。この場合、ケース７は、冷凍ストッカ１内の上方の段部６ａ上に掛けるのに適合した状態となり、段部６ａ上の任意の位置に掛けることが可能である。
【００１４】
このような構成の本実施例においては、内箱５の前後の内面６に、対をなすと共に上下方向に２個の段部６ａ、６ｂを設け、そして、両端部にフランジ部８を有するケース７を備え、このケース７のうちの２個のフランジ部８の間の寸法を調整可能に構成、具体的には、フランジ部８の突出寸法を長短調整可能に構成した。この構成によれば、冷凍ストッカ１内において、ケース７の取り付け位置を上下方向に移動させることが可能となるから、ケース７内に収容した冷凍食品等を容易に取り出すことができると共に、冷凍食品等の収容形態（例えば上方の段部６ａにセットしたケース７内、下方の段部６ｂにセットしたケース７内、または、冷凍ストッカ１の内底部等に自由に収容可能）の自由度を高くすることができ、ユーザーの使い勝手を向上させることができる。
【００１５】
図３は、本発明の第２の実施例を示すものである。第１の実施例と同一部分には、同一符号を付している。この第２の実施例においては、フランジ部８の突出寸法を長短調整するに際して、図３（ａ）、（ｂ）に示すように、ケース７に一体に形成された突片部９に、４個の孔９ａに代えて４個の矩形状の切欠部９ｂを形成し、板部材１０の上面に、４個のピン１０ａに代えて上記４個の切欠部９ｂに嵌合する４個の矩形状の凸部１０ｂを突設した。
【００１６】
そして、第２の実施例の場合、図３（ａ）に示すように、突片部９の下面に板部材１０をぴったり合わせるように、即ち、突片部９の４個の切欠部９ｂに板部材１０の４個の凸部１０ｂを嵌合させるように取り付けると、フランジ部８の突出寸法が短くなり、内箱５の下方の段部６ｂ上に上記フランジ部８を載せて掛けることが可能な構成となる。
これに対して、図３（ｂ）に示すように、突片部９の下面に板部材１０を半分ずらして合わせるように、即ち、突片部９の右の２個の切欠部９ｂに板部材１０の左の２個の凸部１０ｂを嵌合させるように取り付けると、フランジ部８の突出寸法が長くなり、内箱５の上方の段部６ａ上に上記フランジ部８を載せて掛けることが可能な構成となる。
【００１７】
上述した以外の第２の実施例の構成は、第１の実施例の構成と同じ構成となっている。したがって、第２の実施例においても、第１の実施例とほぼ同じ作用効果を得ることができる。
図４は、本発明の第３の実施例を示すものである。第１の実施例と同一部分には、同一符号を付している。この第３の実施例においては、フランジ部８の突出寸法を長短調整する代わりに、ケース７の本体部の幅寸法（図４中の左右方向の寸法）を調整可能に構成した。具体的には、ケース７の本体部を、２つのケース部材１１、１２で構成し、右面部が開口した第１のケース部材１１を、左面部が開口した第２のケース部材１２内に嵌合させると共に、左右方向に移動可能となるように構成されている。
【００１８】
そして、第２のケース部材１２の２つの側壁部１２ａ、１２ｂの各上端部に、それぞれ２個の切欠部１３を形成し、第１のケース部材１１の２つの側壁部１１ａ、１１ｂの各上端部に、上記切欠部１３に嵌合する２個の凸部１４を形成している。
そして、第３の実施例の場合、図４に示すように、第１のケース部材１１の凸部１４を第２のケース部材１２の図中左の切欠部１３に嵌合させるように構成すると、ケース７のフランジ部８、８の間の距離が長くなり、内箱５の上方の段部６ａ上に上記フランジ部８を載せて掛けることが可能な構成となる。
【００１９】
これに対して、第１のケース部材１１を第２のケース部材１２内において図４中の右方へ移動させて、第１のケース部材１１の凸部１４を第２のケース部材１２の図４中の右の切欠部１３に嵌合させるように構成すると、ケース７のフランジ部８、８の間の距離が短くなり、内箱５の下方の段部６ｂ上に上記フランジ部８を載せて掛けることが可能な構成となる。
【００２０】
また、上述した以外の第３の実施例の構成は、第１の実施例の構成と同じ構成となっている。従って、第３の実施例においても、第１の実施例とほぼ同じ作用効果を得ることができる。
尚、上記各実施例においては、容器としてケース７を用いるように構成したが、これに限られるものではなく、例えばバスケット（かご）を用いるように構成しても良いし、棚（板状のもの、または、網状のものいずれでも良い）を用いるように構成しても良い。
【００２１】
図５ないし図８は、本発明の第４の実施例を示すものである。第１の実施例と同一部分には、同一符号を付している。この第４の実施例においては、冷凍ストッカ１の底部をいわゆる上げ底に構成できるようにした。
具体的には、図５に示すように、内箱５の左右の内面１５、１６に、対をなすよう段部１５ａ、１６ａを設けると共に、内箱５の底面１７の中央部と左右の端部とに溝１７ａ、１７ｂ、１７ｃを設けた。そして、図６に示すように、底面１７の中央部の溝１７ａに第１の板１８を嵌合させて立設させた後、この立設させた第１の板１８と、上記２つの段部１５ａ、１６ａのうちの左方の段部１５ａ（一方の段部）との間に第２の板１９を橋架させる。更に、上記立設させた第１の板１８と２つの段部１５ａ、１６ａのうちの右方の段部１６ａ（他方の段部）との間に第３の板２０を橋架させる。
【００２２】
この構成の場合、立設させた第１の板１８の高さと、段部１５ａ、１６ａの高さとがほぼ等しくなるように構成されている。また、第２の板１９と第３の板２０には、図７に示すように、手掛け部１９ａ、２０ａが形成されている。
このように構成すると、図７に示すように、冷凍ストッカ１の内部が上げ底となるから、即ち、底面（第２の板１９及び第３の板２０）の高さが高くなるから、少量の冷凍食品を収納したり、取り出したりする場合、ユーザーはかがまなくてもすみ、収納・取出しの作業が容易になる。
【００２３】
さて、冷凍ストッカ１の底面を上げ底にしないとき、つまり、上記３つの板１８、１９、２０を使用しないときには、図８に示すように、２つの板（例えば板１９、２０）を底面１７の左右の溝１７ｂ、１７ｃに嵌合させて内箱５の内面１５、１６に沿わせて立設させると共に、残りの１つの板（例えば板１８）を底面１７に寝かせておく。これにより、冷凍ストッカ１内に、ほぼ従来通り、冷凍食品を収納することができる。尚、底面１７の中央部の溝１７ａに１つの板（３つの板１８、１９、２０のいずれでも良い）を嵌合して立設させておけば、冷凍ストッカ１の内部を上記板により仕切りことができ、使い勝手が良くなる。
【００２４】
図９ないし図１１は、本発明の第５の実施例を示すものである。第４の実施例と同一部分には、同一符号を付している。この第５の実施例においては、内箱５の内面１５、１６に段部１５ａ、１６ａを設けることを止めると共に、５枚の板２１〜２５を使用するように構成した。
具体的には、図９に示すように、内箱５の底面１７の中央部に、第１の板２１を立設させる溝１７ａを形成し、上記底面１７の左右の端部における内箱５の内面１５、１６から板の厚み分内方の位置に、第２の板２２及び第３の板２３を立設させる溝１７ｄ、１７ｅを形成している。そして、図１０に示すように、底面１７の中央部の溝１７ａに第１の板２１を嵌合させて立設させ、底面１７の左右の溝１７ｄ、１７ｅに第２の板２２、第３の板２３を嵌合させて立設させる。
【００２５】
次に、図１０に示すように、立設させた第１の板２１と立設させた第２の板２２との間に第４の板２４を橋架させると共に、立設させた第１の板２１と立設させた第３の板２３との間に第５の板２５を橋架させる。この構成の場合、立設させた第１の板２１の高さと、立設させた第２の板２２及び第３の板２３の高さとがほぼ等しくなるように構成されている。また、第４の板２４と第５の板２５には、図示しない手掛け部が形成されている。
【００２６】
このように構成すると、図１０に示すように、冷凍ストッカ１の内部が上げ底となるから、即ち、底面（第４の板２４及び第５の板２５）の高さが高くなるから、少量の冷凍食品を収納したり、取り出したりする場合、ユーザーはかがまなくてもすみ、収納・取出しの作業が容易になる。
さて、冷凍ストッカ１の底面を上げ底にしないとき、つまり、上記５つの板２１〜２５を使用しないときには、図１１に示すように、２つの板（例えば板２２、２３）を底面１７の左右の溝１７ｄ、１７ｅに嵌合させて内箱５の内面１５、１６に沿わせて立設させると共に、立設させた２つの板２２、２３と内箱５の内面１５、１６との各間に２つの板（例えば板２４、２５）を収容し、更に、残りの１つの板（例えば板２１）を底面１７上に寝かせておく。これにより、冷凍ストッカ１内に、ほぼ従来通り、冷凍食品を収納することができる。尚、底面１７の中央部の溝１７ａに１つの板（５つの板２１〜２５のいずれでも良い）を嵌合して立設させておけば、冷凍ストッカ１の内部を上記板により仕切ることができ、使い勝手が良くなる。
【００２７】
また、上述した以外の第５の実施例の構成は、第４の実施例の構成と同じ構成となっている。したがって、第５の実施例においても、第４の実施例とほぼ同じ作用効果を得ることができる。
【図面の簡単な説明】
【００２８】
【図１】本発明の第１の実施例を示す冷凍ストッカの斜視図
【図２】ケースの部分斜視図であって、（ａ）はフランジ部を短くした状態を示す図、（ｂ）はフランジ部を長くした状態を示す図
【図３】本発明の第２の実施例を示す図２相当図
【図４】本発明の第３の実施例を示す図２相当図
【図５】本発明の第４の実施例を示す冷凍ストッカの斜視図
【図６】冷凍ストッカの縦断面図
【図７】冷凍ストッカの斜視図
【図８】冷凍ストッカの縦断面図
【図９】本発明の第５の実施例を示す冷凍ストッカの縦断面図
【図１０】冷凍ストッカの縦断面図
【図１１】冷凍ストッカの縦断面図
【符号の説明】
【００２９】
図面中、１は冷凍ストッカ、２は本体、３は扉、５は内箱、６は内面、６ａ、６ｂは段部、７はケース（容器）、８はフランジ部、１５、１６は内面、１５ａ、１６ａは段部、１７は底面、１７ａ、１７ｂ、１７ｃは溝、１８は第１の板、１９は第２の板、２０は第３の板、２１は第１の板、２２は第２の板、２３は第３の板、２４は第４の板、２５は第５の板を示す。
【図１】
2006010249.tif 000003
【図２】
2006010249.tif 000004
【図３】
2006010249.tif 000005
【図４】
2006010249.tif 000006
【図５】
2006010249.tif 000007
【図６】
2006010249.tif 000008
【図７】
2006010249.tif 000009
【図８】
2006010249.tif 000010
【図９】
2006010249.tif 000011
【図１０】
2006010249.tif 000012
【図１１】
2006010249.tif 000013